(57)【要約】【課題】吊り具を使用した玉掛け作業を容易化し、しかも、外壁材を建物躯体に取り付けた後にその外壁材から吊り具を取り外す作業を容易化する。【解決手段】吊り具１０は、互いに直交する方向に延びる長尺状の横帯部１１及び縦帯部１２を有しており、横帯部１１は縦帯部１２の長手方向に沿って２つ並べて配置されている。横帯部１１の一端にはバックル１４が設けられており、横帯部１１におけるバックル１４付近の部分が縦帯部１２に固定されている。横帯部１１は横帯形成材２１が折り返されることで形成されており、縦帯部１２は縦帯形成材３１が折り返されることで形成されている。吊り具１０は、その裏側を外壁材４１に向けた状態で、横帯部１１が外壁材４１の短手方向に沿って延びるように巻き付けられることで外壁材４１に装着されるものである。【選択図】      図１
2013194486.tif 000002
【特許請求の範囲】
【請求項１】
長方形板状の外壁材をその長手方向が上下方向に延びた状態で吊り上げるために使用される外壁材用の吊り具であって、
互いに交差する方向に延びる長尺状の横帯部及び縦帯部を備え、
前記横帯部には、該横帯部の一端側を通すことが可能なバックルが設けられており、前記横帯部における前記バックル付近の部分が前記縦帯部に固定されており、
前記横帯部は、前記外壁材の短手方向に沿って延びるように巻き付けられるものであり、
前記縦帯部は、前記横帯部が巻き付けられた前記外壁材の吊り上げ作業が行われる際に、該外壁材の長手方向に沿って延びるものであることを特徴とする外壁材用の吊り具。
【請求項２】
前記縦帯部においては、該縦帯部を形成する長尺帯状の縦帯形成材が前記横帯部を挟み込んだ状態で折り返されることで、該縦帯形成材の一側面同士が重ねられた縦帯重ね部が形成されており、
前記縦帯重ね部においては、前記縦帯部と前記横帯部とが縫い合わされている請求項１に記載の外壁材用の吊り具。
【請求項３】
前記縦帯重ね部は、前記縦帯形成材の一端が該縦帯形成材の長手方向の中間位置に重ね合わされることで形成されており、
前記横帯部は、前記縦帯形成材における折り返された側の端部が存在する面を前記外壁材側に向けた状態で、該外壁材に巻き付けられるものである請求項２に記載の外壁材用の吊り具。
【請求項４】
前記縦帯部には、前記縦帯形成材における折り返された側の端部が存在する面と、それとは反対側の面とを区別して表示する横帯表示手段が設けられている請求項３に記載の外壁材用の吊り具。
【請求項５】
前記バックルは、前記横帯部の一端が固定されている固定孔を有しており、
前記横帯部においては、該横帯部を形成する長尺帯状の横帯形成材が前記バックルの前記固定孔を通った状態で折り返されることで、該横帯形成材の一側面同士が重ねられた横帯重ね部が形成されており、
前記横帯重ね部においては、前記横帯形成材における重ねられた部分同士が縫い合わされていることで、前記バックルが前記横帯部に対して固定されており、
前記横帯重ね部は、前記横帯形成材の一端が該横帯形成材の長手方向の中間位置に重ね合わされることで形成されており、
前記横帯部は、前記横帯形成材における折り返された側の端部が存在する面を前記外壁材側に向けた状態で、該外壁材に巻き付けられるものである請求項１乃至３のいずれか１項に記載の外壁材用の吊り具。
【請求項６】
前記バックルは、前記横帯部が前記外壁材に巻き付けられた状態で該横帯部の自由端側が通される通し孔と、前記通し孔に前記横帯部が通された場合に該横帯部が前記通し孔から抜け出ることを規制するストッパとを有しており、
前記ストッパは、前記横帯部が前記横帯重ね部における前記横帯形成材の一端とは反対側から前記通し孔に通されることを許可し、前記横帯部が前記横帯重ね部における前記横帯形成材の一端側から前記通し孔に通されることを阻止するものである請求項５に記載の外壁材用の吊り具。
【請求項７】
前記横帯部には、前記横帯形成材における折り返された側の端部が存在する面と、それとは反対側の面とを区別して表示する縦帯表示手段が設けられている請求項５又は６に記載の外壁材用の吊り具。
【請求項８】
前記横帯部は、前記縦帯部の長手方向に沿って所定間隔で複数並べて設けられている請求項１乃至７のいずれか１項に記載の外壁材用の吊り具。
【発明の詳細な説明】
【技術分野】
【０００１】
本発明は、外壁材用の吊り具に関するものである。
【背景技術】
【０００２】
建築現場において住宅等の建物を構築する際、外壁材を吊り上げることで建物躯体に対する取り付け位置に移動させる作業が行われることがある。例えば、一本の帯部からなる吊り具を使用して外壁材に対する玉掛け作業を行う場合、作業者は、吊り具の引っ掛け孔の部分を余らせた状態で、その他の部分を外壁材に巻き付け、引っ掛け孔にフック等を引っ掛ける（例えば特許文献１）。そして、クレーン等の重機により、フックに接続されたワイヤを巻き上げることにより外壁材を吊り上げる。
【先行技術文献】
【特許文献】
【０００３】
【特許文献１】特開２００３−１３６０４号公報
【発明の概要】
【発明が解決しようとする課題】
【０００４】
しかしながら、玉掛け作業に際して一本の帯部からなる吊り具を使用する場合、外壁材に対して吊り具を適正に巻き付けるには熟練を要すると考えられ、もし、吊り具が適正に巻き付けられていないと、外壁材を吊り上げている最中に吊り具が緩むことが懸念される。また、この場合、引っ掛け孔の部分を引き出す長さが玉掛け作業を行うたびにばらつくことも考えられる。例えば、引き出す長さが短いと、引っ掛け孔に引っ掛けたフックが外壁材に接触しやすく、引き出す長さが長いと、外壁面材を吊り上げた際にその外壁面材の揺れが大きくなりやすい。
【０００５】
本発明は、吊り具を使用した玉掛け作業を容易化し、しかも、外壁材を建物躯体に取り付けた後にその外壁材から吊り具を取り外す作業を容易化することを主たる目的とするものである。
【課題を解決するための手段】
【０００６】
以下、上記課題を解決するのに有効な手段等につき、必要に応じて作用、効果等を示しつつ説明する。
【０００７】
第１の発明の外壁材用の吊り具は、長方形板状の外壁材をその長手方向が上下方向に延びた状態で吊り上げるために使用される外壁材用の吊り具であって、互いに交差する方向に延びる長尺状の横帯部及び縦帯部を備え、前記横帯部には、該横帯部の一端側を通すことが可能なバックルが設けられており、前記横帯部における前記バックル付近の部分が前記縦帯部に固定されており、前記横帯部は、前記外壁材の短手方向に沿って延びるように巻き付けられるものであり、前記縦帯部は、前記横帯部が巻き付けられた前記外壁材の吊り上げ作業が行われる際に、該外壁材の長手方向に沿って延びるものであることを特徴とする。
【０００８】
第１の発明によれば、吊り具においては、横帯部が外壁材に巻き付ける部分とされ、縦帯部が横帯部から引き出される部分とされているため、外壁材に巻き付けられた横帯部の長さによって縦帯部の引き出し長さがばらつくということがない。したがって、横帯部を外壁材に緩まないように巻き付けること、及び外壁材に巻き付けた部分（横帯部）から引き出す縦帯部の長さ寸法を所定の大きさにすることが容易となる。
【０００９】
しかも、横帯部においてバックルが縦帯部の近くに配置されているため、縦帯部及びバックルの両方を外壁材の仕上げ面側に位置させた状態で、横帯部を外壁材に巻き付けることができる。この場合、横帯部の自由端にバックルが設けられている構成とは異なり、縦帯部を基準として横帯部を外壁材に巻き付ける際にバックルを振り回してしまうということがない。これにより、バックルが当たって外壁材が変形したり破損したりするということを回避できる。
【００１０】
また、外壁材を建物躯体に対して固定する際、固定作業の安全性を確保するためには、外壁材の固定作業を終えてからクレーン等による外壁材の吊り上げ状態を解除することが好ましい。この場合、外壁材から吊り具を取り外すには、横帯部を外壁材と建物躯体との隙間や、隣り合う外壁材の間の隙間などから抜き取る必要がある。これに対して、本発明ではバックルが縦帯部の近くに配置されているため、バックルが引っ掛かって横帯部を隙間から抜き取ることができないということを回避できる。
【００１１】
以上により、吊り具を使用した玉掛け作業を容易化でき、しかも、外壁材を建物躯体に取り付けた後にその外壁材から吊り具を取り外す作業を容易化できる。
【００１２】
第２の発明では、前記縦帯部においては、該縦帯部を形成する長尺帯状の縦帯形成材が前記横帯部を挟み込んだ状態で折り返されることで、該縦帯形成材の一側面同士が重ねられた縦帯重ね部が形成されており、前記縦帯重ね部においては、前記縦帯部と前記横帯部とが縫い合わされている。
【００１３】
第２の発明によれば、横帯部が縦帯形成材に挟み込まれた状態でその縦帯形成材に対して縫い合わされているため、横帯部と縦帯部との接続状態を強固なものとすることができる。
【００１４】
第３の発明では、前記縦帯重ね部は、前記縦帯形成材の一端が該縦帯形成材の長手方向の中間位置に重ね合わされることで形成されており、前記横帯部は、前記縦帯形成材における折り返された側の端部が存在する面を前記外壁材側に向けた状態で、該外壁材に巻き付けられるものである。
【００１５】
第３の発明によれば、縦帯部の一部が縦帯重ね部とされているため、縦帯形成材において折り返される一部の長さ寸法は、他の部分の寸法と異なっていてもよい。このため、縦帯部を製作する際に縦帯形成材の折り返し寸法を計るという手間を省くことができ、ひいては、吊り具の製作負担を低減することができる。
【００１６】
また、縦帯部の一部が縦帯重ね部とされている構成において、縦帯部において縦帯形成材の端部により段差が生じている面を表側とし、縦帯形成材の端部による段差がない面を裏側とした場合、縦帯部の裏側を外壁材に向けた状態で、横帯部が外壁材に巻き付けられる。このため、縦帯形成材を折り返すことで生じた段差により縦帯部と外壁材との間に隙間が生じるということを抑制できる。この場合、縦帯部が外壁材に密着しやすくなるため、吊り上げた状態の外壁材を上下方向に延びた姿勢で安定させることができる。
【００１７】
第４の発明では、前記縦帯部には、前記縦帯形成材における折り返された側の端部が存在する面と、それとは反対側の面とを区別して表示する横帯表示手段が設けられている。
【００１８】
第４の発明によれば、横帯表示手段が設けられているため、作業者は、仮に縦帯部の縦帯重ね部の存在に気が付かなくても、縦帯部の表側と裏側とを区別して認識することができる。この場合、縦帯部の表側を外壁材に向けた状態で横帯部が外壁材に巻き付けられてしまうということを抑制できる。
【００１９】
第５の発明では、前記バックルは、前記横帯部の一端が固定されている固定孔を有しており、前記横帯部においては、該横帯部を形成する長尺帯状の横帯形成材が前記バックルの前記固定孔を通った状態で折り返されることで、該横帯形成材の一側面同士が重ねられた横帯重ね部が形成されており、前記横帯重ね部においては、前記横帯形成材における重ねられた部分同士が縫い合わされていることで、前記バックルが前記横帯部に対して固定されており、前記横帯重ね部は、前記横帯形成材の一端が該横帯形成材の長手方向の中間位置に重ね合わされることで形成されており、前記横帯部は、前記横帯形成材における折り返された側の端部が存在する面を前記外壁材側に向けた状態で、該外壁材に巻き付けられるものである。
【００２０】
第５の発明によれば、横帯形成材において折り返されて重ねられた部分同士が、バックルの端部を挟み込んだ状態で縫い合わされているため、横帯部に対するバックルの取り付け状態を強固なものとすることができる。
【００２１】
しかも、横帯部の一部が横帯重ね部とされているため、横帯形成材において折り返される一部の長さ寸法は、他の部分の寸法と異なっていてもよい。このため、横帯部を製作する際に横帯形成材の折り返し寸法を計るという手間を省くことができ、ひいては、吊り具の製作負担を低減することができる。
【００２２】
また、横帯部の一部が横帯重ね部とされている構成において、横帯部において横帯形成材の端部により段差が生じている面を表側とし、横帯形成材の端部による段差がない面を裏側とした場合、横帯部の裏側を外壁材に向けた状態で、横帯部が外壁材に巻き付けられる。このため、横帯形成材を折り返すことで生じた段差により横帯部と外壁材との間に隙間が生じるということを抑制できる。この場合、横帯部が外壁材に密着しやすくなるため、外壁材に対する横帯部の締め付けが緩んでしまうことを抑制できる。
【００２３】
第６の発明では、前記バックルは、前記横帯部が前記外壁材に巻き付けられた状態で該横帯部の自由端側が通される通し孔と、前記通し孔に前記横帯部が通された場合に該横帯部が前記通し孔から抜け出ることを規制するストッパとを有しており、前記ストッパは、前記横帯部が前記横帯重ね部における前記横帯形成材の一端とは反対側から前記通し孔に通されることを許可し、前記横帯部が前記横帯重ね部における前記横帯形成材の一端側から前記通し孔に通されることを阻止するものである。
【００２４】
第６の発明によれば、横帯部が、その裏側を外壁材に向けた状態でその外壁材に巻き付けられることで、横帯部を外壁材側からバックルの通し孔に通すことが可能となる。この場合、横帯部における通し孔から抜き出した部分をバックルから遠ざかる側に引っ張るという容易な作業により、横帯部を外壁材に対して締め付けることができる。このため、作業者は、バックルの向きを確認しなくても、外壁材に向ける横帯部の面を適正に選択することで、横帯部をバックルの通し孔に適正に通すことができる。
【００２５】
第７の発明では、前記横帯部には、前記横帯形成材における折り返された側の端部が存在する面と、それとは反対側の面とを区別して表示する縦帯表示手段が設けられている。
【００２６】
第７の発明によれば、横帯表示手段が設けられているため、作業者は、仮に横帯部の横帯重ね部の存在に気が付かなくても、横帯部の表側と裏側とを区別して認識することができる。この場合、横帯部の表側を外壁材に向けた状態でその横帯部が外壁材に巻き付けられてしまうということを抑制できる。
【００２７】
第８の発明では、前記横帯部は、前記縦帯部の長手方向に沿って所定間隔で複数並べて設けられている。
【００２８】
第８の発明によれば、外壁材を吊り上げた状態で、複数の横帯部により外壁材の姿勢を安定させることができる。
【図面の簡単な説明】
【００２９】
【図１】吊り具の構成を示す平面図。
【図２】吊り具の使用例を示す斜視図。
【図３】吊り具の使用例における吊り具及び外壁材の断面図。
【図４】別の吊り具の構成を示す平面図。
【図５】別の吊り具の構成を示す平面図。
【発明を実施するための形態】
【００３０】
以下、本発明を具体化した一実施形態について図面を参照しつつ説明する。本実施形態では、本発明の吊り具が、建築資材としての外壁材を重機としてのクレーン（起重機）により吊り上げる際に、外壁材に巻き付けた状態で用いられる。図１は吊り具１０の構成を示す平面図であり、（ａ）に吊り具１０を表側から見た図を示し、（ｂ）に吊り具１０を裏側から見た図を示す。なお、図１（ａ）においては、縫い目２７，３７の図示を省略している。
【００３１】
図１（ａ），（ｂ）に示すように、吊り具１０は、互いにほぼ直角に交差する方向に延びる横帯部１１と縦帯部１２とを有しており、それら横帯部１１と縦帯部１２とは交差部分において互いに接続されている。横帯部１１及び縦帯部１２はそれぞれ長尺帯状に形成されており、それぞれ柔軟性を有している。横帯部１１は、縦帯部１２の長手方向において２つ並べて配置されており、それら横帯部１１は互いに平行に延びている。
【００３２】
縦帯部１２は、クレーンによりぶら下げられたフックＦ（図２参照）等を引っ掛けることが可能な引っ掛け孔１３を有している。引っ掛け孔１３は、縦帯部１２の一端に設けられており、２つの横帯部１１のうち一方は、縦帯部１２における引っ掛け孔１３とは反対側の端部に対して固定されており、他方は、縦帯部１２の長手方向の中間位置に対して固定されている。
【００３３】
各横帯部１１の一端には、留め金具としてのバックル１４が取り付けられており、各横帯部１１は、バックル１４が取り付けられた端部寄りの部分が縦帯部１２に対して固定されている。この場合、バックル１４は縦帯部１２の近くに配置されていることになる。
【００３４】
なお、例えば、縦帯部１２の長さ寸法が約２．１ｍとされ、各横帯部１１の長さ寸法が約１．３ｍとされている。縦帯部１２については、引っ掛け孔１３の長さ寸法が約０．３ｍとされ、引っ掛け孔１３とその引っ掛け孔１３側の横帯部１１との離間距離が約１．５ｍとされ、横帯部１１同士の離間距離が約０．６ｍとされている。
【００３５】
バックル１４には、横帯部１１の一端を固定するための固定孔１５と、その横帯部１１の他端を通すための通し孔１６とが形成されており、これら固定孔１５及び通し孔１６は、バックル１４において横帯部１１の長手方向に並べて配置されている。バックル１４は、金属材料により形成されているが、合成樹脂材料などにより形成されていてもよい。
【００３６】
バックル１４は、通し孔１６に横帯部１１を通した状態でその横帯部１１が通し孔１６から抜けることを規制するストッパ１７を有している。ストッパ１７は、通し孔１６の一方の開放側において、バックル１４における固定孔１５と通し孔１６との間の部分に対して回動可能に軸支されている。また、ストッパ１７は、その回動先端側がバネ等の付勢手段により通し孔１６側に向けて付勢されており、ストッパ１７における回動先端側の通し孔１６側の側面には、横帯部１１の帯面に引っ掛かる引っ掛け部が形成されている。引っ掛け部は、横帯部１１の帯面に対する摩擦が大きくなる形状とされており、その摩擦によって横帯部１１の帯面に引っ掛かった状態となる。
【００３７】
ストッパ１７は、バックル１４の一側面において通し孔１６を覆った状態となっており、ストッパ１７の設置側からは横帯部１１を通し孔１６に通しにくくなっている。この場合、通し孔１６においてストッパ１７が設けられていない側が横帯部１１を通し孔１６に挿し入れる側になり、ストッパ１７が設けられている側が横帯部１１を通し孔１６から引き出す側になる。
【００３８】
横帯部１１は、長尺帯状の横帯形成材２１により形成されている。横帯形成材２１は、合成繊維や天然繊維、金属繊維により形成された織物であり、例えば水色等の寒色系の色とされている。横帯形成材２１は、バックル１４の固定孔１５に通された状態で、バックル１４における固定孔１５側の端部を挟み込んで折り返されており、横帯形成材２１におけるバックル１４の端部を挟み込んだ側の帯面同士が重ね合わされている。
【００３９】
横帯部１１においては、横帯形成材２１がその一端を他端に重ね合わせるように折り返されているのではなく、横帯形成材２１がその一端を横帯形成材２１の中間部分に重ね合わせるように折り返されている。この場合、横帯部１１においては、横帯形成材２１がバックル１４の端部を挟んで二重に重ねられている横帯重ね部２２と、横帯形成材２１が重ねられていない横帯一重部２４とが、横帯部１１の長手方向に並べて配置されていることになる。ここでは、横帯一重部２４における横帯重ね部２２とは反対側の端部が横帯部１１の自由端となっている。
【００４０】
横帯重ね部２２における横帯形成材２１の端部は、横帯部１１の表裏両面のうちバックル１４のストッパ１７がある側、すなわち、バックル１４の通し孔１６に横帯部１１が通された場合にその横帯部１１が引き出される側に配置されている。
【００４１】
横帯重ね部２２においては、横帯形成材２１の重ね合わされた部分同士が縫い糸により縫い合わされて固定されている。縫い糸は、横帯重ね部２２に加えて横帯一重部２４にも縫い付けられており、その縫い目２７は横帯部１１の長手方向に沿って延びている。
【００４２】
縦帯部１２は、長尺帯状の縦帯形成材３１により形成されている。縦帯形成材３１は、横帯形成材２１と同様に、合成繊維や天然繊維、金属繊維により形成された織物であり、例えば横帯形成材２１と同様に水色等の寒色系の色とされている。
【００４３】
縦帯形成材３１においては、両端部がそれぞれ縦帯形成材３１の中間部分に重ね合わせるように折り返されており、折り返された各端部は縦帯形成材３１の長手方向において離間している。縦帯形成材３１の一端側は、各横帯部１１におけるバックル１４寄りの部分（横帯重ね部２２）を挟み込んで折り返されており、縦帯形成材３１における各横帯部１１を挟み込んだ側の帯面同士が重ね合わされている。ここで、縦帯部１２からバックル１４側に延びている横帯部１１の長さ寸法は、バックル１４が縦帯形成材３１の間に挟み込まれない程度の大きさとなっている。この場合、バックル１４は縦帯形成材３１の近くに配置されていることになる。
【００４４】
縦帯形成材３１の他端側は、一端側と同じ帯面側に向けて折り返されており、その他端が縦帯形成材３１の中間部分に固定され且つその固定部分よりも折り返し端部側の部分が固定されていないことで引っ掛け孔１３が形成されている。
【００４５】
この場合、縦帯部１２においては、縦帯形成材３１が横帯部１１を挟んで二重に重ねられている縦帯重ね部３２と、縦帯形成材３１が重ねられることで引っ掛け孔１３を形成している引っ掛け孔形成部３３と、縦帯形成材３１が重ねられていない縦帯一重部３４とが、縦帯部１２の長手方向に並べて配置されていることになる。
【００４６】
縦帯重ね部３２における縦帯形成材３１の端部は、横帯部１１の表裏両面のうちバックル１４のストッパ１７がある側、すなわち、横帯重ね部２２における横帯形成材２１の端部がある側に配置されている。
【００４７】
縦帯重ね部３２においては、横帯部１１とその横帯部１１を挟んで重ね合わされた縦帯形成材３１とが、縫い糸により縫い合わされて固定されている。引っ掛け孔形成部３３においても、縦帯形成材３１の重ね合わされた部分同士は縫い糸により縫い合わされて固定されている。縫い糸は、縦帯重ね部３２及び引っ掛け孔形成部３３に加えて縦帯一重部３４にも縫い付けられており、その縫い目３７は縦帯部１２の長手方向に沿って延びている。
【００４８】
吊り具１０においては、表側と裏側とが定められている。吊り具１０の表側においては、図１（ａ）に示すように、横帯形成材２１における折り返された側の端部により横帯部１１の面に段差が生じているとともに、縦帯形成材３１における折り返された両端部により縦帯部１２の面に段差が生じており、バックル１４のストッパ１７が存在している。また、吊り具１０の表側においては、横帯部１１及び縦帯部１２の縫い目２７，３７が、横帯形成材２１及び縦帯形成材３１と同系色である寒色系の色（例えば白色）とされており、横帯部１１及び縦帯部１２において縫い目２７，３７が目立たないようになっている。なお、吊り具１０の表側では縫い目２７，３７が目立たないということを分かりやすくするために、上記したように、図１（ａ）では縫い目２７，３７の図示を省略している。
【００４９】
一方、吊り具１０の裏側においては、図１（ｂ）に示すように、横帯部１１及び縦帯部１２のいずれの面にも段差は生じていない。また、吊り具１０の裏側においては、横帯部１１及び縦帯部１２の縫い目２７，３７は、横帯形成材２１及び縦帯形成材３１と異系色である暖色系の色（例えば赤色）とされており、横帯部１１及び縦帯部１２において縫い目２７，３７が目立つようになっている。この場合、人は、横帯部１１及び縦帯部１２の表裏両面について段差の有無を確認したり、バックル１４についてストッパ１７の有無を確認したりしなくても、縫い目２７，３７の色を見るだけで吊り具１０の表裏を識別することができる。
【００５０】
なお、横帯部１１の縫い目２７が横帯表示手段に相当し、縦帯部１２の縫い目３７が縦帯表示手段に相当する。また、縫い糸には、帯部１１，１２の表側にて縫い目２７，３７を形成する上糸と、帯部１１，１２の裏側にて縫い目２７，３７を形成する下糸とが含まれており、上糸が寒色系の色、下糸が暖色系の色というように上糸と下糸とが異なる色とされている。この場合、上糸及び下糸の両方が横帯表示手段及び縦帯表示手段を構成していることになる。
【００５１】
次に、吊り具１０の使用方法について図２、図３を参照しつつ説明する。図２は吊り具１０の使用例を示す斜視図、図３は吊り具１０の使用例における吊り具１０及び外壁材４１の断面図である。図３においては、（ａ）に図２のＡ−Ａ線断面図を示し、（ｂ）に図２のＢ−Ｂ線断面図を示す。
【００５２】
図２に示すように、吊り具１０は、各横帯部１１を外壁材４１に巻き付けた状態で使用される。外壁材４１は、軽量気泡コンクリート（ＡＬＣ）等により略長方形板状に形成された外装材である。なお、外壁材４１としては、ＡＬＣの他に、長方形板状の外壁パネル等が挙げられる。外壁パネルは、外壁面を形成する外壁面材と、その外壁面材の屋内側面（裏面）に固定された下地フレームとを有しており、外壁面材は例えば窯業系サイディングボードにより形成され、下地フレームは例えば断面コ字状の軽量鉄骨材により形成されている。
【００５３】
建築現場において作業者は、トラックの荷台や載置台などの上に寝かせた状態で置かれている外壁材４１に対して玉掛け作業を行う。具体的には、吊り具１０の裏側を外壁材４１側に向けた状態、各横帯部１１を外壁材４１の短手方向に沿って巻き付ける。そして、横帯部１１の自由端側を外壁材４１側からバックル１４の通し孔１６に通し、横帯部１１の自由端側をバックル１４から遠ざかる側に引っ張ることで外壁材４１に対して横帯部１１を締め付ける。その後、縦帯部１２の引っ掛け孔１３にフックＦを引っ掛け、フックＦに接続されたワイヤＷをクレーンにて巻き取ることにより、外壁材４１を引っ掛け孔１３側の端部が上端となるように徐々に起き上がらせながら、長手方向が上下方向に延びる姿勢（立った姿勢）となるように吊り上げる。
【００５４】
この場合、図３（ａ）に示すように、バックル１４のストッパ１７が外壁材４１とは反対側に配置されているため、外壁材４１に対して横帯部１１を締め付けたとしても、ストッパ１７が外壁材４１に押し付けられることを回避できる。つまり、バックル１４により外壁材４１が変形したり破損したりするということを回避できる。また、横帯部１１の裏側が外壁材４１側に向けられているため、横帯部１１の表側が外壁材４１側に向けられた場合に比べて、横帯形成材２１の端部による段差がない分だけ横帯部１１と外壁材４１との隙間が生じにくくなっている。つまり、横帯部１１の裏面が外壁材４１の周面に密着した状態となっている。
【００５５】
図２の説明に戻り、各横帯部１１は、それら横帯部１１の間において縦帯部１２がたるまないように、且つ縦帯部１２が外壁材４１の長手方向に沿って真っ直ぐに延びるように、外壁材４１に対して締め付けられた状態となっている。また、各横帯部１１は、外壁材４１の長手方向において、各横帯部１１の中心Ｏａが外壁材４１の中心Ｏｂよりも縦帯部１２の引っ掛け孔１３側に存在するように配置されている。これにより、縦帯部１２の引っ掛け孔１３にフックＦが引っ掛けられた状態で外壁材４１が吊り上げられた場合に、外壁材４１が鉛直方向から傾きにくくなり、外壁材４１を鉛直方向に延びた姿勢で安定させることができる。
【００５６】
また、各横帯部１１は、引っ掛け孔形成部３３が外壁材４１よりも外側に存在する位置に配置されている。これにより、外壁材４１が吊り上げられた場合に、引っ掛け孔引っ掛けられたフックＦが外壁材４１に接触することがない。これにより、フックＦとの接触によって外壁材４１が変形したり破損したりすることを回避できる。
【００５７】
この場合、図３（ｂ）に示すように、縦帯部１２の裏面が外壁材４１側に向けられているため、縦帯部１２の表側が外壁材４１側に向けられた場合に比べて、縦帯形成材３１の端部による段差がない分だけ縦帯部１２と外壁材４１との間に隙間が生じにくくなっている。つまり、縦帯部１２の裏面が外壁材４１の仕上げ面に密着した状態となっている。これにより、吊り上げた外壁材４１を縦帯部１２に沿って延びた状態で、つまり、上下方向に延びた姿勢で安定させることができる。
【００５８】
クレーンを操作するオペレータ（操作者）は、吊り上げた外壁材４１を建物における取り付け位置に移動させ、取り付け作業場所にいる作業者が、外壁材４１を床大梁や天井大梁等の建物躯体に対して取り付ける作業を行う。作業者は、クレーンにより吊られた状態の外壁材４１を、ボルト等の固定具を用いて建物躯体に固定し、その後、引っ掛け孔１３からフックＦを抜き取り、バックル１４の通し孔１６から横帯部１１を抜き取って吊り具１０を外壁材４１から取り外す。これにより、外壁材４１の固定作業を行っている最中にその外壁材４１が取り付け位置から離脱してしまうということを回避できる。
【００５９】
また、吊り具１０を外壁材４１から取り外す際には、横帯部１１が外壁材４１の屋内側面と建物躯体との間の隙間や、隣り合う外壁材４１の間の隙間（目地部分）を通った状態になっていると想定されるため、それらの隙間から横帯部１１を抜き取る必要がある。ここで、バックル１４は縦帯部１２付近において外壁材４１の仕上げ面側（建物躯体とは反対側である屋外側）に配置されているため、バックル１４が横帯部１１の自由端側に配置されている構成とは異なり、横帯部１１を外壁材４１の周囲の隙間から抜き取る際にその隙間にバックル１４が引っ掛かるということがない。
【００６０】
以上詳述した本実施形態によれば、以下の優れた効果が得られる。
【００６１】
吊り具１０においては、横帯部１１が外壁材４１に巻き付けられる部分とされ、縦帯部１２が横帯部１１から引き出される部分とされているため、外壁材４１に巻き付けられた横帯部１１の長さによって縦帯部１２の引き出し長さがばらつくということがない。したがって、横帯部１１を外壁材４１に緩まないように巻き付けること、及び外壁材４１に巻き付けた部分（横帯部１１）から引き出す縦帯部１２の長さ寸法を所定の大きさにすることが容易となる。
【００６２】
しかも、横帯部１１においてバックル１４が縦帯部１２の近くに配置されているため、縦帯部１２及びバックル１４の両方を外壁材４１の仕上げ面側に位置させた状態で、横帯部１１を外壁材４１に巻き付けることができる。この場合、仮に横帯部１１におけるバックル１４が固定されていない方の端部を振り回しても、バックル１４を振り回すことにはならないため、バックル１４が当たって外壁材４１が変形したり破損したりすることを回避できる。
【００６３】
また、横帯部１１におけるバックル１４が設けられた端部は、縦帯部１２に対して固定されている一方で、バックル１４が設けられていない方の端部は、自由端としてバックル１４の通し孔１６に通されるため、その自由端を外壁材４１周辺の隙間に通すことは容易である。この場合、外壁材４１を建物躯体に取り付けた状態で、外壁材４１と建物躯との間の隙間や、隣り合う外壁材４１の間の隙間を通して横帯部１１を抜き取ることが容易となるため、作業者は、横帯部１１を外壁材４１から取り外すために外壁材４１の屋内側に回り込む必要がない。したがって、吊り具１０を外壁材４１から容易に且つ安全に取り外すことができる。
【００６４】
以上により、吊り具１０を使用した玉掛け作業を容易化でき、しかも、外壁材４１を建物躯体に取り付けた後にその外壁材４１から吊り具１０を取り外す作業を容易化できる。
【００６５】
吊り具１０においては、横帯部１１が縦帯部１２の長手方向に沿って２つ並べて配置されているため、外壁材４１を吊り上げた際にその外壁材４１の姿勢を安定させることができる。ここで、外壁材４１の吊り上げ姿勢を安定させるには、一本の帯部からなる吊り具を２つ用いて外壁材４１に対して二丁掛けを行うことも考えられるが、２つの吊り具を用いることで玉掛け作業が煩雑になるおそれがある。これに対して、２つの横帯部１１を有する吊り具１０を１つ用いて玉掛け作業を行った場合には、外壁材４１の吊り上げ姿勢を安定させることができ、しかも、玉掛け作業が煩雑になることを抑制できる。
【００６６】
横帯部１１が縦帯形成材３１に挟まれた状態で、それら横帯部１１と縦帯形成材３１とが縫い合わされているため、横帯部１１と縦帯部１２との接続状態を強固なものとすることができる。
【００６７】
縦帯形成材３１を折り返すことで縦帯部１２が形成されている構成において、縦帯重ね部３２と縦帯一重部３４とが並べて配置されているため、縦帯形成材３１において折り返される部分の長さ寸法が他の部分の長さ寸法と異なっていてもよくなる。このため、縦帯部１２を製作する際に縦帯形成材３１の折り返し寸法を計るという手間を省くことができ、ひいては、吊り具１０の製作負担を低減することができる。
【００６８】
また、縦帯部１２の表側においては、縦帯形成材３１が折り返されたことによる段差（縦帯重ね部３２と縦帯一重部３４との段差）があるが、裏側においてはその段差がないため、縦帯部１２の裏側を外壁材４１に向けた状態で吊り具１０が外壁材４１に装着された場合、縦帯部１２の表側が外壁材４１に向けられた場合とは異なり、縦帯部１２と外壁材４１との間に前記段差による隙間が生じない。この場合、縦帯部１２の裏側面が外壁材４１の周面に密着しやすくなるため、吊り上げた状態の外壁材４１を上下方向に延びた姿勢で安定させることができる。
【００６９】
縦帯部１２に沿って延びている縫い糸の縫い目３７が、縦帯部１２の表側と裏側とで異なる色となっているため、縫い目３７によって吊り具１０の表裏を識別することが可能となる。このため、作業者が縦帯部１２の表側を外壁材４１に向けた状態で吊り具１０をその外壁材４１に装着してしまうということを回避できる。しかも、縫い目３７の色の違いにより縦帯部１２の表裏が識別可能となっているため、表裏を識別するための専用部材を縦帯部１２に取り付ける必要がなく、縦帯部１２の製作に際してコスト低減を図ることできるとともに、専用部材を取り付ける手間を省くことができる。
【００７０】
横帯部１１においては、横帯形成材２１の折り返されて重ねられた部分同士が、バックル１４の端部を挟み込んだ状態で縫い合わされているため、横帯部１１に対するバックル１４の取り付け状態を強固なものとすることができる。
【００７１】
しかも、横帯重ね部２２と横帯一重部が並べて配置されているため、横帯形成材２１において折り返される部分の長さ寸法が他の部分の長さ寸法と異なっていてもよくなる。このため、横帯部１１を製作する際に横帯形成材２１の折り返し寸法を計るという手間を省くことができ、ひいては、吊り具１０の製作負担を低減することができる。
【００７２】
また、横帯部１１の表側においては、横帯形成材２１が折り返されたことによる段差（横帯重ね部２２と縦帯重ね部３２との段差）があるが、裏側においてはその段差がないため、横帯部１１の裏側を外壁材４１に向けた状態で横帯部１１が外壁材４１に巻き付けられた場合、横帯部１１の表側が外壁材４１に向けられた場合とは異なり、横帯部１１と外壁材４１との間に前記段差による隙間が生じない。この場合、横帯部１１の裏側面が外壁材４１の周面に密着しやすくなるため、外壁材４１に対する横帯部１１の締め付けが緩んでしまうということを抑制できる。
【００７３】
横帯部１１の裏側には、横帯形成材２１の折り返しによる段差が形成されていないため、横帯部１１を外壁材４１に締め付けた際に、前記段差が外壁材４１の周面に押し付けられるということを回避できる。これにより、横帯形成材２１の折り返しによる段差で外壁材４１が変形したり破損したりすることを回避できる。
【００７４】
バックル１４においては通し孔１６に横帯部１１を通す向きが、ストッパ１７によって横帯部１１の裏側から表側に向かう方向に定められているため、横帯部１１がその裏側を外壁材４１に向けた状態で巻き付けられた場合に、横帯部１１の自由端側をバックル１４の通し孔１６に通して、バックル１４（外壁材４１）から遠ざかる側に引っ張るという作業を容易に行うことができる。この場合、作業者は、バックル１４について横帯部１１を通す向きを確認しなくても、外壁材４１に向ける横帯部１１の面を適正に選択することで、横帯部１１をバックル１４の通し孔１６に適正に通すことができる。
【００７５】
横帯部１１にはバックル１４が設けられているため、横帯部１１の自由端側をバックル１４の通し孔１６に通してその自由端側を引っ張ることで、横帯部１１を外壁材４１に対して容易に締め付けることができる。この場合、外壁材４１に対する横帯部１１の締め付けが不足しにくくなるため、外壁材４１をほぼ垂直方向に延びた垂直吊りに近い状態で吊り上げることができる。したがって、吊り上げた状態の外壁材４１を、狭小地や足場間隔の狭い場所においても、足場や建物躯体などに接触させることなく取り付け位置に移動させることが容易となる。
【００７６】
横帯部１１に沿って延びている縫い目２７が、横帯部１１の表側と裏側とで異なる色となっているため、縫い目２７によって吊り具１０の表裏を識別することが可能となる。このため、作業者が横帯部１１の表側を外壁材４１に向けた状態でその横帯部１１を外壁材４１に巻き付けてしまうということを回避できる。しかも、縫い目２７の色の違いにより横帯部１１の表裏が識別可能となっているため、表裏を識別するための専用部材を吊り具１０に取り付ける必要がなく、横帯部１１の製作に際してコスト低減を図ることできるとともに、専用部材を取り付ける手間を省くことができる。
【００７７】
縦帯形成材３１が横帯部１１を挟み込んだ状態となっているため、あらかじめバックル１４付きの横帯部１１を製作しておくことができる。このため、例えば、横帯形成材２１と縦帯形成材３１とが互い違いに重ねられている構成とは異なり、横帯形成材２１を折り返して横帯部１１を製作する作業と、縦帯形成材３１を折り返して縦帯部１２を製作する作業とを別々に行うことができる。このため、横帯部１１の製作と縦帯部１２の製作とを同時に行うことで作業が煩雑になるということを回避できる。
【００７８】
横帯形成材２１においてバックル１４の端部を挟み込んで重ねられた部分が、さらに縦帯形成材３１により挟み込まれているため、縦帯形成材３１及び横帯形成材２１の両方の挟み込みが解除されない限りは、バックル１４が横帯部１１から外れてしまうということがない。つまり、バックル１４は横帯部１１に対して強固に固定されている。このため、外壁材４１に対して横帯部１１を強く締め付けた状態をバックル１４が好適に維持することができる。
【００７９】
横帯部１１及び縦帯部１２の裏側に縫い目２７，３７が設けられているため、その縫い目２７，３７が外壁材４１の周面に当接することにより、外壁材４１の周面と横帯部１１及び縦帯部１２の裏側面との摩擦を大きくすることができる。この場合、縫い目２７，３７が外壁材４１に対する横帯部１１及び縦帯部１２の滑り止めとしての機能を発揮していることになる。
【００８０】
［他の実施形態］
本発明は上記実施形態の記載内容に限定されず、例えば次のように実施されてもよい。
【００８１】
（１）上記実施形態では、バックル１４が横帯部１１の一端に取り付けられていたが、バックル１４が縦帯部１２の近くに配置されていれば、バックル１４は横帯部１１の中間部分に取り付けられていてもよい。例えば、図４（ａ）に示すように、横帯形成材２１の折り返し端部にバックル１４が配置されているのではなく、横帯重ね部２２の中間部分にバックル１４が配置されている構成とする。この構成では、横帯重ね部２２において、横帯形成材２１がバックル１４の通し孔１６に通されている部分を除いて、横帯形成材２１の重ねられた部分同士が縫い合わされている。
【００８２】
また、バックル１４は、縦帯部１２の近くに配置されていれば、縦帯部１２を挟んで横帯部１１の自由端とは反対側に配置されているのではなく、縦帯部１２よりも横帯部１１の自由端側に配置されていてもよい。この場合でも、横帯部１１を外壁材４１に巻き付けた状態で、その横帯部１１の自由端側を縦帯部１２の上側にオーバーラップさせてバックル１４の通し孔１６に通すことにより、横帯部１１を外壁材４１に締め付けた状態とすることができる。
【００８３】
（２）上記実施形態では、横帯部１１が縦帯形成材３１により挟み込まれているが、縦帯部１２が横帯形成材２１により挟み込まれていてもよく、横帯形成材２１と縦帯形成材３１とが互い違いに重ねられていてもよい。例えば、図４（ｂ）に示すように、横帯形成材２１において互いに重ねられた部分のうち一方が、縦帯形成材３１により挟み込まれ、縦帯形成材３１において互いに重ねられた部分のうち一方が、横帯形成材２１により挟み込まれた状態となっている。この構成によれば、横帯部１１と縦帯部１２との接続状態をより一層強固なものにすることができる。
【００８４】
（３）上記実施形態では、横帯部１１と縦帯部１２とは互いの重ね部２２，３２同士が縫い合わされることで接続されていたが、横帯部１１と縦帯部１２との接続部分には、横帯一重部２４及び縦帯一重部３４の少なくとも一方が含まれていてもよい。例えば、横帯一重部２４と縦帯一重部３４とが帯面同士で重ね合わされた状態で、互いに縫い合わされて接続されている構成とする。この構成では、横帯部１１の表側に縦帯部１２が重ねられていることが好ましい。この場合、横帯部１１を外壁材４１に巻き付けた際に、横帯部１１と外壁材４１との間に縦帯部１２又は縦帯形成材３１が挟まった状態とならないため、横帯部１１の裏側全体を外壁材４１の周面に密着させることが可能となる。これにより、外壁材４１を吊り上げた際に、その外壁材４１を横帯部１１が好適に保持した状態を維持できる。
【００８５】
（４）横帯部１１の全体が横帯重ね部２２とされていてもよい。また、縦帯部１２の全体が縦帯重ね部３２とされていてのよい。
【００８６】
（５）横帯部１１は、折り返されていない横帯形成材２１により形成されていてもよい。つまり、横帯部１１の全体が横帯一重部２４とされていてもよい。この場合でも、バックル１４を固定するための固定具などを用いることにより、バックル１４を横帯部１１に取り付けることは可能である。この場合、横帯部１１には表裏が存在しないことになる。
【００８７】
また、縦帯部１２は、折り返されていない縦帯形成材３１により形成されていてもよい。つまり、縦帯部１２の全体が縦帯一重部３４とされていてもよい。この場合でも、縦帯部１２と横帯部１１とを帯面同士で重ねた状態で縫い合わされることにより、それら縦帯部１２と横帯部１１とを交差した状態で接続することができる。この場合、縦帯部１２には表裏が存在しないことになる。
【００８８】
（６）上記実施形態では、縦帯部１２における引っ掛け孔１３とは反対側の端部が横帯部１１に対して固定されていたが、その端部は横帯部１１を越えて引っ掛け孔１３とは反対側に延びていてもよい。この場合、縦帯部１２における横帯部１１から外側に延びている延出部分を、介錯ロープとして外壁材４１の位置合わせに利用することができる。
【００８９】
（７）横帯部１１と縦帯部１２との固定は、固定ピンや固定金具などの固定具によりなされていてもよい。この場合、固定具は横帯部１１と縦帯部１２とが重ねられた部分を、貫通した状態でそれら横帯部１１と縦帯部１２とを固定することになる。
【００９０】
（８）上記実施形態では、帯部１１，１２の繊維の色と縫い目２７，３７の色とが、吊り具１０の表側が同系色とされ、裏側が異系色とされていたが、要は、吊り具１０の表側と裏側とを帯部１１，１２の繊維の色や縫い目２７，３７の色で識別することができる構成であればよい。例えば、横帯部１１及び縦帯部１２の少なくとも一方の繊維の色が、表側と裏側とで異なる構成とする。この構成では、横帯部１１の繊維の色が横帯表示手段に相当し、縦帯部１２の繊維の色が縦帯表示手段に相当する。ちなみに、縫い目２７，３７は、帯部１１，１２の短手方向に沿って延びていてもよい。
【００９１】
また、横帯部１１や縦帯部１２の表側及び裏側の少なくとも一方に、表示手段としての文字が付与されていてもよい。
【００９２】
（９）吊り具１０において横帯部１１は、１つだけ設けられていてもよく、３つ以上設けられていてもよい。ここで、吊り具１０において横帯部１１の数を増減させることで、外壁材４１に対する吊り具１０の巻き付け段数を増減することができる。このため、一本の帯部からなる吊り具にて外壁材４１に対する巻き付け段数を増減させる場合とは異なり、作業者が玉掛け作業に熟練した者でなくても、外壁材４１の長手方向において複数の位置にて横帯部１１を外壁材４１に容易に巻き付けることができる。
【００９３】
（１０）横帯部１１及び縦帯部１２の少なくとも一方には、外壁材４１の周面に対する裏面の摩擦係数を大きくする滑り止め手段が設けられていてもよい。この場合、横帯部１１や縦帯部１２が外壁材４１に装着した位置からずれることを抑制できる。これにより、吊り上げた外壁材４１を安定した姿勢で保持することができる。
【００９４】
（１１）バックル１４は、横帯部１１が通し孔１６から抜けることを阻止できる構成であればよく、ピンタイプのバックルであってもよい。例えば、横帯部１１にはバックル１４のピンを通す貫通孔が形成され、バックル１４の通し孔１６に横帯部１１を通した状態で、その横帯部１１の貫通孔にピンを通し、それによって、横帯部１１が通し孔１６から抜けることを規制する構成とする。
【００９５】
（１２）横帯部１１には、外壁材４１に対する横帯部１１の締め付け具合を示す締め付け表示手段が設けられていてもよい。例えば、図５に示すように、各横帯部１１の裏側に所定間隔で目印５１，５２が締め付け表示手段として表示されている構成とする。この構成では、横帯部１１を外壁材４１に巻き付けた状態で目印５１，５２のどちらがバックル１４の通し孔１６を通ったことを確認することにより、作業者は、横帯部１１の締め付け具合を知ることができる。これにより、外壁材４１に対する横帯部１１の締め付け具合が不足した状態のまま外壁材４１を吊り上げてしまうということを回避できる。
【００９６】
しかも、目印５１，５２は、横帯部１１の裏側に設けられているため、バックル１４の通し孔１６を通らない限りは、外壁材４１側を向いていることで外壁材４１の外周側（巻き付けた状態の横帯部１１の外周側）には露出せず、バックル１４の通し孔１６を通ることで初めて外壁材４１の外周側に露出することになる。この場合、作業者が目印５１，５２を視認することができれば、横帯部１１が外壁材４１に対して適正に締め付けられているということになる。
【００９７】
ちなみに、目印５１，５２は、横帯部１１の表側に設けられていてもよいが、この場合は、横帯部１１を外壁材４１に巻き付けた状態で、目印５１，５２がバックル１４の通し孔１６を通っていなくても横帯部１１の外周側に露出することになるため、作業者は、目印５１，５２がバックル１４の通し孔１６を通った状態にあるか否かを確認する必要がある。
【００９８】
なお、目印５１，５２は、横帯部１１を巻き付ける外壁材４１の幅寸法に合わせて配置されている。目印５１は、例えば幅寸法（短手寸法）が５００ｍｍの外壁材４１に対して、横帯部１１が適正に巻き付けられた場合にバックル１４の通し孔１６と重なる位置に配置されている。一方、目印５２は、目印５１よりもバックル１４寄りの位置において、例えば幅寸法が２５０ｍｍの外壁材４１に対して、横帯部１１が適正に巻き付けられた場合にバックル１４の通し孔１６と重なる位置に配置されている。
【００９９】
また、横帯部１１の表側及び裏側の少なくとも一方には、外壁材４１の短手方向において横帯部１１の位置合わせを行うための表示部が設けられていてもよい。例えば、外壁材４１の短手方向の中央に縦帯部１２を配置した場合に、外壁材４１の仕上げ面の長辺に重なる位置に表示部が設けられている構成とする。この場合、横帯部１１を外壁材４１に巻き付ける際に、表示部を外壁材４１の仕上げ面の長辺に重ねるという容易な作業により、横帯部１１が外壁材４１の短手方向に中央からずれることを抑制できる。
【符号の説明】
【０１００】
１０…吊り具、１１…横帯部、１２…縦帯部、１４…バックル、１５…固定孔、１６…通し孔、１７…ストッパ、２１…横帯形成材、２２…横帯重ね部、２７…横帯表示手段としての縫い目、３１…縦帯形成材、３２…縦帯重ね部、３７…縦帯表示手段としての縫い目、４１…外壁材。
【図１】
2013194486.tif 000003
【図２】
2013194486.tif 000004
【図３】
2013194486.tif 000005
【図４】
2013194486.tif 000006
【図５】
2013194486.tif 000007